(57)【要約】【課題】ユーザにとって関心が高い番組を含む電子番組表のデータと、該番組に対してユーザが選択したＷＥＢサイトのデータとを、ユーザが所望する期間保管することが可能なデータ処理装置を実現する。【解決手段】データを受信するためにサーバーとの通信を行う通信部と、データを保存するためのデータ保存部と、前記通信部を介してサーバーから電子番組表のデータを受信し該データに基づいて電子番組表を表示する電子番組表表示処理、該電子番組表表示処理により表示された電子番組表中の個別の番組に対してユーザにより選択されたＷＥＢサイトを、ユーザの該番組に対するＷＥＢサイト関連付け操作に基づいて関連付ける関連付け処理、及び、該関連付け処理が実行されると、前記通信部を介して前記ＷＥＢサイトのデータをサーバーから受信し、かつ、前記電子番組表のデータと前記ＷＥＢサイトのデータとを前記データ保存部に保存させるデータ保存処理を実行するデータ処理実行部と、を有するデータ処理装置。【選択図】図４
2008177952.tif 000002
【特許請求の範囲】
【請求項１】
データを受信するためにサーバーとの通信を行う通信部と、
データを保存するためのデータ保存部と、
前記通信部を介してサーバーから電子番組表のデータを受信し該データに基づいて電子番組表を表示する電子番組表表示処理と、該電子番組表表示処理により表示された電子番組表中の個別の番組に対してユーザにより選択されたＷＥＢサイトを、ユーザの該番組に対するＷＥＢサイト関連付け操作に基づいて関連付ける関連付け処理と、該関連付け処理が実行されると、前記通信部を介して前記ＷＥＢサイトのデータをサーバーから受信し、かつ、前記電子番組表のデータと前記ＷＥＢサイトのデータとを前記データ保存部に保存させるデータ保存処理と、を実行するデータ処理実行部と、
を有することを特徴とするデータ処理装置。
【請求項２】
請求項１に記載のデータ処理装置において、
前記関連付け処理は、前記番組に対して前記ＷＥＢサイトのＵＲＬを、ユーザの該番組に対するＵＲＬ入力操作に基づいて関連付ける処理であることを特徴とするデータ処理装置。
【請求項３】
請求項２に記載のデータ処理装置において、
前記データ処理実行部は、前記データ保存処理の実行時に、前記電子番組表のデータ及び前記ＷＥＢサイトのデータとともに、
前記番組に対するメモのデータであって、前記ＷＥＢサイトのデータの前記データ保存部におけるアドレスを表示させるためのメモのデータ、
を前記データ保存部に保存させることを特徴とするデータ処理装置。
【請求項４】
請求項３に記載のデータ処理装置において、
前記メモのデータは、
該メモにて前記アドレスをハイパーリンクの形態で表示させるためのデータであることを特徴とするデータ処理装置。
【請求項５】
請求項１乃至請求項４のいずれかに記載のデータ処理装置において、
前記電子番組表のデータは、ＨＴＭＬ形式のデータであり、
前記データ処理実行部は、前記データ保存処理の実行時に、
前記ＷＥＢサイトのデータの前記データ保存部におけるアドレスへのリンクタグ、を前記電子番組表のデータに挿入してから、該電子番組表のデータを前記データ保存部に保存させることを特徴とするデータ処理装置。
【請求項６】
請求項１乃至請求項５のいずれかに記載のデータ処理装置において、
前記データ処理実行部は、前記データ保存処理の実行時に、前記電子番組表のデータのうち、前記ＷＥＢサイトと関連付けられた番組以外のデータの一部又は全部を消去して、該電子番組表のデータを前記データ保存部に保存させることを特徴とするデータ処理装置。
【請求項７】
データ処理装置がサーバーから電子番組表のデータを受信し該データに基づいて電子番組表を表示する処理を実行するステップと、
前記データ処理装置が、表示された前記電子番組表の中の個別の番組に対してユーザにより選択されたＷＥＢサイトを、ユーザの該番組に対するＷＥＢサイト関連付け操作に基づいて関連付ける処理を実行するステップと、
前記ＷＥＢサイトを前記番組に対して関連付ける処理が実行されると、前記データ処理装置が前記ＷＥＢサイトのデータをサーバーから受信し、かつ、前記電子番組表のデータと前記ＷＥＢサイトのデータとを前記データ処理装置に設けられたデータ保存部に保存させる処理を実行するステップと、
を有することを特徴とするデータ処理方法。
【請求項８】
請求項７のデータ処理方法の各ステップをコンピュータに実行させるためのプログラム。
【発明の詳細な説明】
【技術分野】
【０００１】
本発明は、サーバーから受信された電子番組表のデータを処理するデータ処理装置に関する。また、当該データ処理装置が行う、前記電子番組表のデータを含む各種データについてのデータ処理方法に関する。さらに、当該データ処理方法の各ステップをコンピュータに実行させるためのプログラムに関する。
【背景技術】
【０００２】
電子化されたテレビ番組表（以下、電子番組表）は既に知られている。この電子番組表の閲覧や利用を希望するユーザは、電子番組表作成会社等のサーバーから提供される電子番組表のデータを受信し、該データに基づいて電子番組表を表示する機能を備えたデータ処理装置を用いることになる（例えば、特許文献１参照）。そして、ユーザは、当該データ処理装置により表示された電子番組表を閲覧し、前記電子番組表の中から視聴する番組又は録画する番組を決定することとなる。また、前記データ処理装置の中には、インターネット等のネットワークに接続しているものもある。このようなデータ処理装置は、番組のホームページ等のＷＥＢサイトのデータをサーバーから受信し、該ホームページを表示する機能を備えている。こうしたデータ処理装置の機能により、電子番組表中にユーザの関心が高い番組がある場合、ユーザは、前記ネットワーク上にて公開された前記番組のホームページ等のＷＥＢサイトを参照して、該ＷＥＢサイトから前記番組に関する情報を入手することが可能である。
【特許文献１】特開２００２−３３５４６３号公報
【発明の開示】
【発明が解決しようとする課題】
【０００３】
ところで、前記サーバーから送信される電子番組表のデータは定期的に（あるいは、突発的に）更新される。つまり、ある日の電子番組表のデータは当該ある日から一定の期間が経過した後には受信不可能となる結果、ユーザは前記ある日の電子番組表を閲覧し、利用することが出来なくなる場合がある。また、同様にして、前記ＷＥＢサイトのデータも該データを送信するサーバーから消去される場合がある。かかる場合、ユーザは前記ＷＥＢサイトを参照することが出来なくなるため、ユーザの関心が高い番組に関する情報を入手することが困難になってしまう。
【０００４】
本発明は、かかる課題に鑑みてなされたものであり、その目的とするところは、ユーザにとって関心が高い番組を含む電子番組表のデータと、該番組に対してユーザが選択したＷＥＢサイトのデータとを、ユーザが所望する期間保管することが可能なデータ処理装置を実現することである。
【課題を解決するための手段】
【０００５】
前記課題を解決するために、主たる本発明は、データを受信するためにサーバーとの通信を行う通信部と、データを保存するためのデータ保存部と、前記通信部を介してサーバーから電子番組表のデータを受信し該データに基づいて電子番組表を表示する電子番組表表示処理と、該電子番組表表示処理により表示された電子番組表中の個別の番組に対してユーザにより選択されたＷＥＢサイトを、ユーザの該番組に対するＷＥＢサイト関連付け操作に基づいて関連付ける関連付け処理と、該関連付け処理が実行されると、前記通信部を介して前記ＷＥＢサイトのデータをサーバーから受信し、かつ、前記電子番組表のデータと前記ＷＥＢサイトのデータとを前記データ保存部に保存させるデータ保存処理と、を実行するデータ処理実行部と、を有することを特徴とするデータ処理装置である。
【０００６】
本発明の他の特徴については、本明細書及び添付図面の記載により明らかにする。
【発明を実施するための最良の形態】
【０００７】
本明細書及び添付図面の記載により少なくとも次のことが明らかにされる。
【０００８】
先ず、データを受信するためにサーバーとの通信を行う通信部と、データを保存するためのデータ保存部と、前記通信部を介してサーバーから電子番組表のデータを受信し該データに基づいて電子番組表を表示する電子番組表表示処理と、該電子番組表表示処理により表示された電子番組表中の個別の番組に対してユーザにより選択されたＷＥＢサイトを、ユーザの該番組に対するＷＥＢサイト関連付け操作に基づいて関連付ける関連付け処理と、該関連付け処理が実行されると、前記通信部を介して前記ＷＥＢサイトのデータをサーバーから受信し、かつ、前記電子番組表のデータと前記ＷＥＢサイトのデータとを前記データ保存部に保存させるデータ保存処理と、を実行するデータ処理実行部と、を有するデータ処理装置。
【０００９】
すなわち、上記のデータ処理装置は、電子番組表中の個別の番組に対してユーザが選択したＷＥＢサイトの関連付けを行う機能と、該ＷＥＢサイトの関連付けが行われると、電子番組表のデータをデータ処理装置が有するデータ保存部に保存させるとともに、該ＷＥＢサイトのデータをサーバーから受信して該データを前記データ保存部に保存させる機能とを備えている。このような機能を備えたデータ処理装置により、例えば、ユーザの関心が高い番組を含んだ電子番組表のデータ、及び、該番組に関する情報を入手するためにユーザが選択したＷＥＢサイトのデータを、ユーザが所望する期間保管することが可能になる。この結果、ユーザは、上記の各データが各サーバーから受信不能になった後であっても、前記データ保存部に保存された前記各データに基づいて表示される前記電子番組表や前記ＷＥＢサイトを参照することが可能である。
【００１０】
また、前記関連付け処理は、前記番組に対して前記ＷＥＢサイトのＵＲＬを、ユーザの該番組に対するＵＲＬ入力操作に基づいて関連付ける処理であることとしてもよい。ユーザが電子番組表の中の個別の番組に対してＵＲＬ入力操作を行うことは、該番組が、ユーザにとって関心が高い番組であることを意味している。また、入力されたＵＲＬにより所在が特定されるＷＥＢサイトは、前記番組に関する情報をユーザに提供するＷＥＢサイトである。そして、本発明のデータ処理装置は、ユーザによるＵＲＬ入力操作に基づいて前記番組に対する前記ＷＥＢサイトのＵＲＬの関連付け処理を実行し、当該関連付け処理の実行をトリガーとして、電子番組表のデータと前記ＷＥＢサイトのデータとを前記データ保存部に保存させる処理を実行する。これにより、ユーザの関心が高い番組を含む電子番組表のデータと、該番組に対しユーザにより選択されたＷＥＢサイトのデータとが、ユーザが所望する期間保管されることになる。
【００１１】
また、前記データ処理実行部は、前記データ保存処理の実行時に、前記電子番組表のデータ及び前記ＷＥＢサイトのデータとともに、前記番組に対するメモのデータであって、前記ＷＥＢサイトのデータの前記データ保存部におけるアドレスを表示させるためのメモのデータ、を前記データ保存部に保存させることとしてもよい。かかる場合、前記メモにより、前記番組と前記ＷＥＢサイトとが関連付けられたまま、前記電子番組表のデータと前記ＷＥＢサイトのデータとがデータ保存部に保存されることになる。
【００１２】
さらに、前記メモのデータは、前記アドレスをハイパーリンクの形態で表示させるためのデータであることとしてもよい。かかる場合、前記メモに設けられた前記アドレスへのリンクを辿ることにより、該アドレスに保存されたデータに基づくＷＥＢサイトがより容易に参照可能になる。
【００１３】
また、前記電子番組表のデータはＨＴＭＬ形式のデータであり、前記データ処理実行部は、前記データ保存処理の実行時に、前記ＷＥＢサイトのデータの前記データ保存部におけるアドレスへのリンクタグ、を前記電子番組表のデータに挿入してから、該電子番組表のデータを前記データ保存部に保存させることとしてもよい。かかる場合にも、前記アドレスに保存されたデータに基づくＷＥＢサイトがより容易に参照されるようになる。
【００１４】
また、前記データ処理実行部は、前記データ保存処理の実行時に、前記電子番組表のデータのうち、前記ＷＥＢサイトと関連付けられた番組以外のデータの一部又は全部を消去して、該電子番組表のデータを前記データ保存部に保存させることとしてもよい。かかる構成では、前記データ保存部の、前記電子番組表のデータを保存させるために必要な容量を節約することが可能になる。
【００１５】
さらに、データ処理装置がサーバーから電子番組表のデータを受信し該データに基づいて電子番組表を表示する処理を実行するステップと、前記データ処理装置が、表示された前記電子番組表の中の個別の番組に対してユーザにより選択されたＷＥＢサイトを、ユーザの該番組に対するＷＥＢサイト関連付け操作に基づいて関連付ける処理を実行するステップと、前記ＷＥＢサイトを前記番組に対して関連付ける処理が実行されると、前記データ処理装置が前記ＷＥＢサイトのデータをサーバーから受信し、かつ、前記電子番組表のデータと前記ＷＥＢサイトのデータとを前記データ処理装置に設けられたデータ保存部に保存させる処理を実行するステップと、を有するデータ処理方法も実現可能である。かかるデータ処理方法によれば、前記データ処理装置に、ユーザにとって関心が高い番組を含む電子番組表のデータと、該番組に対してユーザが選択したＷＥＢサイトのデータとを、ユーザが所望する期間保管させることが可能となる。
【００１６】
さらに、上記のデータ処理方法の各ステップをコンピュータに実行させるプログラムも実現可能である。このプログラムがコンピュータに読み取られ、該コンピュータによって前記各ステップが実行されることにより、ユーザにとって関心が高い番組を含む電子番組表のデータと、該番組に対してユーザが選択したＷＥＢサイトのデータとを、ユーザが所望する期間保管することが可能となる。
【００１７】
＝＝＝ユーザ端末の構成例＝＝＝
先ず、図１を用いて、本発明のデータ処理装置の一例として、ユーザ端末１０を例にとって、その概要について説明する。図１は、本実施形態のユーザ端末１０の構成、及び、該ユーザ端末１０とデータを送信する各サーバー等との関係を示すブロック図である。
【００１８】
本実施形態のユーザ端末１０は、コンピュータの一例としてのパーソナルコンピュータ（ＰＣ）であり、不図示のＣＰＵ、メモリ、及び、該メモリに格納されたＯＳやアプリケーションプログラムを始めとする各種プログラム等を備えている。また、ユーザ端末１０は、通信用インターフェース（不図示）を備えており、図１に示すように、ネットワーク２と接続している。なお、本実施形態のネットワーク２はインターネットである。すなわち、ユーザ端末１０は、インターネット上に構築されたＷｏｒｌｄ Ｗｉｄｅ ＷＥＢ（以下、ＷＷＷ）を構成する各サーバーと前記通信用インタフェースを介して接続しており、当該各サーバーからのサービスを享受することが可能である。そして、本実施の形態では、上記サーバーの中に、電子番組表のデータ（以下、電子番組表データともいう）を提供する電子番組表データ提供サーバー３が存在している。つまり、ユーザ端末１０は、電子番組表データ提供サーバー３からインターネット経由で電子番組表データを受信し、該電子番組表データに基づいて電子番組表Ｔ（図３参照）を表示させる機能を備えている。また、ユーザ端末１０は、前記電子番組表Ｔの他、インターネット上にて公開されているＷＥＢサイトも表示させることが可能である。すなわち、本実施の形態に係るユーザ端末１０は、ＷＥＢサイトデータ提供サーバー４から前記ＷＥＢサイトのデータ（以下、ＷＥＢサイトデータとも言う）を受信し、該データに基づいて前記ＷＥＢサイトを表示させる機能を備えている。当該機能により、ユーザは、電子番組表Ｔの個別の番組に対して情報を入手するために、インターネット上にて公開されているＷＥＢサイトの中から、例えば、前記番組のホームページ等の前記番組に関する情報を掲載したＷＥＢサイトを選び、該ＷＥＢサイトを参照することが可能である。
【００１９】
ここで、各サーバーから受信される電子番組表データとＷＥＢサイトデータとは、ともにＨｙｐｅｒ Ｔｅｘｔ Ｍａｒｋｕｐ Ｌａｎｇｕａｇｅ（ＨＴＭＬ）形式で記述されたデータであり、電子番組表データもＷＥＢサイトデータの一種と言えるが、本実施の形態では、便宜上、前記電子番組表データと前記ＷＥＢサイトデータとを区別して説明することとする。また、図１中、電子番組表データ提供サーバー３とＷＥＢサイトデータ提供サーバー４とが互いに異なるサーバーとして示されているが、両サーバーが同一のサーバーであってもよい。
【００２０】
また、本実施形態のユーザ端末１０は、テレビ放送局１から放送される番組の信号を受信し当該信号を変換して映像データや音声データ（以下、映像データ及び音声データをまとめて、単に映像データと言う）を出力する機能と、該映像データを所定の記憶先に記憶させる録画機能を備えている。
【００２１】
以上のような機能を始めとするユーザ端末１０の各機能は、前述したＣＰＵ、メモリ、通信用インタフェース、及び、前記メモリに格納された各種プログラム等によって実現される。
【００２２】
続いて、ユーザ端末１０の各構成要素について説明する。ユーザ端末１０は、図１に示すように、番組録画部１１と、制御部１２と、出力部１３と、通信部１４と、データ保存部１５と、入力部１６と、データ処理実行部２０とを備えている。
【００２３】
制御部１２は、ユーザ端末１０の各部（すなわち、番組録画部１１、出力部１３、通信部１４、データ保存部１５、入力部１６、及びデータ処理実行部２０）の制御を司るものであり、当該各部は制御部１２を介して互いに接続されている。
【００２４】
番組録画部１１は、テレビ放送局１が放送する番組の録画を行うものである。すなわち、前記番組録画部１１は、チューナやエンコーダ等を搭載しており、テレビ放送局１から発信される番組の信号がアンテナ１７にて受信されると、該信号の検波及び復調を行い、復調により得られる前記番組の映像データを所定の規格に従ってエンコードし、エンコードされた該映像データを所定の記憶先に記憶させる。このような番組録画部１１による録画処理は、後述するデータ処理実行部２０に備えられた録画制御処理部２６によって制御される。なお、録画制御処理部２６は、番組録画部１１による録画動作を制御するとともに、該番組録画部１１に対して録画予約を設定する処理を実行するためのプログラムにより実現される。
【００２５】
出力部１３は、ディスプレイ１３ａ等によって構成され、該ディスプレイ１３ａに前記映像データに基づく映像（より正確には、映像及び音声）を出力するとともに、データ処理実行部２０に備えられた電子番組表表示処理部２１によって表示される電子番組表Ｔを映し出すためのものである。
【００２６】
通信部１４は、前述した通信用インタフェース等によって構成され、ネットワーク２上（本実施の形態では、インターネット上）の各サーバーと通信するためのものである。すなわち、ユーザ端末１０は、通信部１４を介して、ＷＷＷを構成する各サーバー（例えば、電子番組表データ提供サーバー３及びＷＥＢサイトデータ提供サーバー４）からのデータを受信してくることになる。
【００２７】
データ保存部１５は、ユーザ端末１０に内蔵されたハードディスク等により構成され、各種データを保存するためのものである。入力部１６は、キーボードやマウス等により構成され、ユーザによって操作されるものである。この入力部１６は、ユーザの入力操作を受け付け、該入力操作に応じたデータを、制御部１２を介して、出力部１３やデータ処理実行部２０等へ送信する。
【００２８】
データ処理実行部２０は、電子番組表の表示処理や、電子番組表データ及びＷＥＢサイトデータを保管するための一連の処理（以下、データ保管処理）等の各種データ処理を実行するものである。このデータ処理実行部２０は、電子番組表表示処理部２１と、ＵＲＬ関連付け処理部２２と、データ保存処理部２３と、ＷＥＢサイトデータ受信処理部２４と、保存データ読出処理部２５と、前述した録画制御処理部２６とを備えている。これらの各構成要素は、前記メモリに格納された各データ処理に関するプログラムと、当該プログラムを実行するＣＰＵ等により構成されている。なお、電子番組表の表示処理、及び、データ保管処理については後述する。
【００２９】
＝＝＝データ処理について＝＝＝
次に、本実施形態のユーザ端末１０によるデータ処理について説明する。
【００３０】
＜＜電子番組表の表示処理について＞＞
先ず、電子番組表Ｔの表示処理について図２及び図３を用いて説明する。図２は、電子番組表Ｔの表示処理に関するフローチャートである。図３は、電子番組表Ｔが表示されたブラウザ画面３０を示す図である。なお、図３には、１２月１１日の１５時以降に各テレビ放送局が放送する番組に関する情報を掲載した電子番組表Ｔが示されている。
【００３１】
本処理は、前述したデータ処理実行部２０に備えられた、電子番組表表示処理部２１により実行される。そして、本実施形態の電子番組表表示処理部２１は、サーバーから受信されたＨＴＭＬ形式のデータに基づいて文字列や画像をブラウザ画面３０に表示させるＷＥＢブラウザによって実現される。すなわち、ＷＥＢブラウザは、電子番組表データ提供サーバー３に対して電子番組表データの送信を要求し、かつ、受信された電子番組表データに基づいて電子番組表Ｔをブラウザ画面３０に表示することになる。
【００３２】
本処理のフローについて説明すると、図２に示すように、ユーザのＷＥＢブラウザ起動要求に対して、ＷＥＢブラウザが起動するところから始まる（Ｓ２）。当該ＷＥＢブラウザの起動により、ディスプレイ１３ａには、電子番組表Ｔを表示させるためのブラウザ画面３０が表示される。なお、ＷＥＢブラウザが起動した時点では、電子番組表データが未受信であるため、ＷＥＢブラウザ起動直後のブラウザ画面３０には、例えば、ユーザがホームページとして設定したＷＥＢページが表示される。
【００３３】
次に、ユーザが所定の動作を行うと（例えば、ブラウザ画面３０のアドレスバーに電子番組表データ提供サーバー３のＵＲＬを入力すると）、ＷＥＢブラウザにより、電子番組表データ提供サーバー３に対して電子番組表データの送信が要求される（Ｓ４）。この送信要求を受けた電子番組表データ提供サーバー３が電子番組表データの送信を開始すると、ユーザ端末１０により電子番組表データが受信される（Ｓ６）。電子番組表データが受信されると、当該電子番組表データに基づいて、図３に示すような電子番組表Ｔがブラウザ画面３０に表示される（Ｓ８）。以上のような工程を経て、電子番組表の表示処理が完了する。
【００３４】
なお、本実施の形態では、電子番組表データ提供サーバー３から送信される電子番組表データが１日毎に更新されるものとし、電子番組表データ提供サーバー３は、前記ＷＥＢブラウザによるデータ送信要求を受けた日以降の電子番組表データを送信する。例えば、図３の電子番組表Ｔは、１２月１１日以前に送信された電子番組表データに基づいて表示されたものである。
【００３５】
ブラウザ画面３０に表示された電子番組表Ｔについて説明すると、各テレビ放送局（図３中、チャンネル１、チャンネル２等と表記）がある日の各時間帯に放送する番組について、放送開始時間、番組タイトル、出演者等の情報が、テレビ放送局及び放送時間毎に区分されてテーブル形式で表示されている。なお、以下の説明において、電子番組表Ｔの、放送局と放送時間によって特定される欄を番組欄と、当該番組欄に表示された各番組の情報を番組情報と呼ぶこととする。
【００３６】
本実施の形態に係る電子番組表Ｔでは、図３に示すように、番組情報のうち、放送開始時間及び番組タイトルが、他の番組情報と異なり、太字にて表示されている。すなわち、ＨＴＭＬ形式で記述された電子番組表データのうち、放送開始時間及び番組タイトルのデータには、太字表記させるための修飾情報データ（所謂タグ）が付けられている。
【００３７】
さらに、電子番組表Ｔの中には、例えば、チャンネル２が１６時から放送する、番組タイトルが「ドラマＢ」である番組（以下、「ドラマＢ」）や、チャンネル１８が１６時２０分から放送する、番組タイトルが「映画Ｃ」である番組（以下、「映画Ｃ」）のように、番組情報として解説ボタンＴｂが設けられている番組もある。この解説ボタンＴｂは、該解説ボタンＴｂが設けられた番組の解説ウィンドウ（不図示）を表示させるためのボタンであり、例えば、ユーザがマウス操作にて該解説ボタンＴｂをクリックすると、前記解説ウィンドウがブラウザ画面３０上に所謂ポップアップ形式で表示される。つまり、図３に示される電子番組表Ｔのデータのうち、「ドラマＢ」や「映画Ｃ」の部分には、番組情報として解説ボタンＴｂを表示させるデータ、及び、該解説ボタンＴｂがクリックされると前記解説ウィンドウを表示させるデータが含まれている。また、前記解説ウィンドウのデータは、電子番組表データに組み込まれているため、該電子番組表データとともに受信されることになる。
【００３８】
なお、ブラウザ画面３０には、図３に示すように、後述するＵＲＬ関連付けプログラムを起動させるためのプログラム起動ボタン３１が設けられている。つまり、本実施の形態において、ＵＲＬ関連付けプログラムを起動させるためには、ユーザは前記プログラム起動ボタン３１をクリックする等の所定の操作を行うこととなる。
【００３９】
＜＜データ保管処理について＞＞
次に、電子番組表データに対するデータ保管処理について説明する。  
データ保管処理は、前述した電子番組表Ｔの表示処理、該電子番組表Ｔ中の個別の番組に対しユーザが選択したＷＥＢサイト（以下、関連サイトとも言う）を関連付ける処理、及び、電子番組表データや前記関連サイトのデータ（以下、関連サイトデータとも言う）をデータ保存部１５に保存させる処理等の一連の処理によって構成される。
【００４０】
以下、図４を参照しながら、データ保管処理のフローについて説明する。図４は、データ保管処理に関するフローチャートである。なお、以降の説明において、電子番組表Ｔ中、関連サイト（より正確には、関連サイトのＵＲＬであり、詳細については後述する）が関連付けられる番組を関連付け先番組と呼ぶこととする。
【００４１】
本処理は、図４に示すように、既述の電子番組表の表示処理によってブラウザ画面３０に電子番組表Ｔが表示されたところから始まる（Ｓ１２）。電子番組表Ｔが表示された後、該電子番組表Ｔ中の関連付け先番組に対して、ユーザが入力部１６を介して関連サイトのＵＲＬを入力する操作（ＵＲＬ入力操作）を行うと、該ＵＲＬ入力操作に基づき、前記関連付け先番組に対して前記関連サイトのＵＲＬ（以下、単にＵＲＬとも言う）を関連付ける処理が実行される。すなわち、本実施の形態において、関連サイトの関連付け処理とは、前記関連付け先番組に対して前記ＵＲＬを関連付ける処理のことである。このようなＵＲＬの関連付け処理は、データ処理実行部２０に備えられたＵＲＬ関連付け処理部２２により実行される。そして、本実施形態のＵＲＬ関連付け処理部２２は、ユーザが前記番組に対してＵＲＬ入力操作を行う際のユーザインタフェースとして機能するＵＲＬ関連付けプログラムによって実現される。そして、ＵＲＬ関連付けプログラムは、ユーザによる前記ＵＲＬ入力操作を受け付け、該ＵＲＬ入力操作に基づいて関連付け先番組に対して前記ＵＲＬを関連付ける処理を実行する。以下、ＵＲＬ関連付けプログラムにより実行される各処理について、図５を用いて具体的に説明する。図５は、ユーザの関連付け先番組に対するＵＲＬ入力操作について説明するための図である。なお、図５は、電子番組表Ｔ中、関連付け先番組として「ドラマＢ」が指定され、該「ドラマＢ」に対してＵＲＬ入力操作が行われる場合について説明するための図である。
【００４２】
ユーザが前述したプログラム起動ボタン３１をクリックすると、前記ＵＲＬ関連付けプログラムが起動する（Ｓ１４）。そして、当該プログラムが起動した後、ユーザは、電子番組表Ｔの中から関連付け先番組を指定するために、該関連付け先番組の番組欄上にマウスポインタ３２を移動させる操作を行う。その後、前記マウスポインタ３２が前記関連付け先番組の番組欄上に位置した状態で、ユーザが所定の操作（例えば、マウスボタンのダブルクリック操作など）を行うと、ＵＲＬ関連付けプログラムは、マウスポインタ３２により指示された番組を関連付け先番組として特定する。これと同時に、前記ＵＲＬ関連付けプログラムは、図５に示すようなＵＲＬ入力ウィンドウ３３を電子番組表Ｔに重畳した状態で表示させる。
【００４３】
このＵＲＬ入力ウィンドウ３３は、ユーザが前記関連付け先番組に対して選んだ関連サイトのＵＲＬを入力するためのスペースである。具体的に説明すると、図５に示すように、ＵＲＬ入力ウィンドウ３３には、前記ＵＲＬ関連付けプログラムにより特定された関連付け先番組の情報として、番組タイトル、放送日時、及び、放送チャンネルが表示されている。また、前記ＵＲＬ入力ウィンドウ３３には、前記関連サイトのＵＲＬを入力するためのＵＲＬ入力ボックス３３ａが設けられており、ユーザは、当該ＵＲＬ入力ボックス３３ａ中に入力部１６を介して前記関連サイトのＵＲＬを入力することとなる。ＵＲＬの入力が完了し、ユーザが前記ＵＲＬ入力ウィンドウ３３の下部に設けられた入力完了ボタン３３ｂをクリックすると、前記関連付け先番組に関連付けられるＵＲＬ（換言すると、前記関連付け先番組に関連付けられる関連サイト）が確定する。
【００４４】
以上のような一連の操作（すなわち、関連付け先番組を指定するためのマウスポインタ３２の移動操作、ＵＲＬ入力ボックス３３ａへＵＲＬを入力する操作、及び、当該ＵＲＬの確定操作）が、ユーザによるＵＲＬ入力操作に該当する。このようなＵＲＬ入力操作が行われると、ＵＲＬ関連付けプログラムは該ＵＲＬ入力操作を受け付け（Ｓ１６）、該ＵＲＬ入力操作に基づき、前記関連付け先番組に対する前記ＵＲＬの関連付け処理を実行する（Ｓ１８）。なお、本実施の形態では、ＵＲＬ入力ウィンドウ３３にはＵＲＬ入力ボックス３３ａが２個設けられており、ＵＲＬ関連付けプログラムは、関連付け先番組１番組あたり最大２つのＵＲＬを関連付けることが可能である。但し、関連付け先番組１番組あたりに関連付けることが可能なＵＲＬの数は限定されるものではない。
【００４５】
そして、ＵＲＬ関連付けプログラムにより、前記関連付け先番組に対する関連サイトのＵＲＬの関連付け処理が実行されると、当該ＵＲＬの関連付け処理の実行をトリガーとして、電子番組表Ｔのデータと、前関連付け先番組に対して関連付けられた関連サイトのデータとをデータ保存部１５に保存させる処理（データ保存処理）が実行される（Ｓ２０）。なお、当該データ保存処理は、データ処理実行部２０が備えるデータ保存処理部２３により実行される。また、本実施形態のデータ保存処理部２３は、前記ＵＲＬの関連付け処理の実行をトリガーとして、電子番組表データや関連サイトデータ等の各種データをデータ保存部１５に保存させるプログラムにより実現される。つまり、本実施形態では、ＵＲＬ関連付け処理部２２は前記ＵＲＬの関連付け処理を実行するとデータ保存処理部２３に対してデータ保存処理の実行を要求し、また、当該要求を受けたＵＲＬ関連付け処理部２２は前記データ保存処理を開始する。
【００４６】
ここで、図６に示すように、本実施形態におけるデータ保存処理は複数の処理によって構成されている。図６は、データ保存処理に関するフローチャートである。以下、データ保存処理の詳細に関して、図６を参照しながら説明する。
【００４７】
データ保存処理部２３は、関連付け先番組に対してＵＲＬの関連付け処理が実行されると、先ず、データ処理実行部２０に備えられたＷＥＢサイトデータ受信処理部２４に、前記関連サイトのデータを受信させる（Ｓ３０）。このＷＥＢサイトデータ受信処理部２４は、通信部１４を介してＷＥＢサイトデータ提供サーバー４から、関連付け先番組に関連付けられた関連サイトのデータを受信するためのプログラムである。そして、前記ＵＲＬの関連付け処理の実行後、前記ＷＥＢサイトデータ受信処理部２４は、ユーザにより入力されたＵＲＬに基づき前記関連サイトのデータを送信するＷＥＢサイトデータ提供サーバー４（より正確には、ＷＥＢサイトデータ提供サーバー４のＩＰアドレス等）を特定する。その後、前記ＷＥＢサイトデータ受信処理部２４は、前記ＷＥＢサイトデータ提供サーバー４に対して前記関連サイトのデータの送信を要求し、該データを受信する。
【００４８】
関連サイトのデータが受信された後、データ保存処理部２３は、ＷＥＢサイトデータ受信処理部２４により受信された関連サイトデータをデータ保存部１５に保存させる処理を実行する（Ｓ３２）。なお、データ保存処理部２３は、前記関連サイトデータをデータ保存部１５に保存させるにあたり、ユーザに対して、該データ保存部１５における前記関連サイトデータの保存先の指定を要求する。ユーザが指定した保存先に関連サイトデータが保存されると、データ保存処理部２３は、前記関連付け先番組に対するメモのデータ（以下、メモデータ）を作成し、該メモデータを前記保存先に保存させる（Ｓ３４）。このメモデータとは、該メモデータが読み出された際に、前記関連サイトデータのデータ保存部１５におけるアドレス（すなわち、前記保存先に保存された前記関連サイトデータまでのパス）を示したメモＭ（図８参照）を電子番組表Ｔに重畳した状態で表示させるためのデータである。なお、メモＭに関する詳細については、後述する。
【００４９】
次に、データ保存処理部２３は、電子番組表データ提供サーバー３から受信された前記関連付け先番組を含む電子番組表Ｔのデータのうち、該関連付け先番組以外のデータの一部を消去する処理（データ消去処理）を実行する（Ｓ３６）。なお、データ保存処理部２３によって消去されるデータとは、前記「ドラマＢ」以外の番組に関する番組情報のデータであって、太文字表記させるタグが付けられていないデータ（すなわち、放送開始時間及び番組タイトル以外の番組情報のデータ）である。すなわち、本実施形態のデータ保存処理部２３は、特定のタグの有無に基づいて、消去対象のデータと非消去対象のデータとを分別し、前記電子番組表データから消去対象のデータを消去する。なお、本実施の形態では、データ保存処理部２３が、前記データ消去処理の実行時に、前記特定のタグの有無に関わらず、関連付け先番組以外の番組のデータについて全て消去することも可能である。また、前記データ保存処理部２３は前記データ消去処理の実行を省略することも可能である。このように、本実施の形態では、データ保存処理部２３によるデータ消去処理のモード（すなわち、関連付け先番組以外の番組のデータを一部消去するモード、該データを全部消去するモード、データ消去処理を省略するモード）は切替え可能となっており、ユーザは不図示の設定画面により当該モードの切替え設定を行うことが可能である。
【００５０】
そして、データ保存処理部２３は、データ消去処理の実行後、該データ消去処理が施された電子番組表のデータを、データ保存部１５中、前述した保存先に保存させる処理を実行する（Ｓ３８）。また、本実施の形態において、データ保存処理部２３は、電子番組表データ、関連サイトデータ、及び、前述したメモデータを各々互いに異なるファイルとしてデータ保存部１５に保存させる。そして、前記データ保存処理部２３は、関連付け先番組の放送日を示す文字列（すなわち、「ドラマＢ」の放送日である、０６年１２月１１日）が含まれたファイル名を付けて、前記電子番組表データ及び前記メモデータを前記保存先に保存させる。なお、前記ファイル名中に含まれる文字列としては、関連付け先番組の放送日を示すものに限定されず、例えば、関連付け先番組の放送日時を示すものであってもよい。
【００５１】
さらに、前記メモデータ中には、ＵＲＬ入力操作にて特定された関連付け先番組に関するデータと、前記関連付け先番組を含む電子番組表のデータを特定するためのデータとが含まれている。このような構成のメモデータが保存されることにより、メモを介して関連付け先番組と関連サイトのＵＲＬとが関連付けられたまま、該関連サイトを含む電子番組表のデータ、及び、前記関連サイトデータとが前記保存先に保存されることになる。このようなメモデータが保存される結果、該メモデータに基づくメモＭが表示された場合には、データ保存部１５に保存されたデータの中から、前記ＵＲＬが関連付けられた番組（すなわち、関連付け先番組）を含む電子番組表のデータが特定され、該データに基づいて前記電子番組表が再表示されるようになる。なお、電子番組表の再表示処理については、後述する。
【００５２】
以上のような一連の処理が実行されることにより、データ保存処理が完了する。そして、当該データ保存処理が完了した時点で、ＵＲＬ関連付けプログラムが終了し（Ｓ２２）、データ保管処理も完了する。
【００５３】
＜＜再表示処理について＞＞
次に、データ保存部１５に保存された電子番組表データに基づいて電子番組表を再表示させる処理（以下、再表示処理）について図７及び図８を用いて説明する。図７は、再表示処理に関するフローチャートである。図８は、保存電子番組表Ｔｎと、メモデータに基づいて表示されるメモＭを示している。ここで、保存電子番組表Ｔｎとは、データ保存部１５に保存された電子番組表データに基づいて表示される電子番組表のことである。また、図８に示される保存電子番組表Ｔｎは、「ドラマＢ」に対して関連サイトのＵＲＬが関連付けられたことによりデータ保存部１５に保存された電子番組表データ、に基づいて表示されたものである。
【００５４】
本処理は、前述したデータ保管処理によりデータ保存部１５に保存された電子番組表データを読み出し、該データに基づいて電子番組表をブラウザ画面３０に再表示させる処理であり、当該処理は前記データ処理実行部２０に備えられた保存データ読出処理部２５によって実行される。また、本実施の形態に係る保存データ読出処理部２５は、データ保存部１５に保存された電子番組表データ等の各データを読み出すためのデータ読出プログラムにより実現される。そして、このプログラムがＷＥＢブラウザ（すなわち、電子番組表表示処理部２１）と協働することによって、読み出された電子番組表データに基づいて、保存電子番組表Ｔｎがブラウザ画面３０に表示される。
【００５５】
以下、図７にて示されるフローチャートを参照しながら、電子番組表の再表示処理のフローについて説明する。
【００５６】
本処理は、ユーザがデータ保存部１５に保存されたメモデータを選択することにより（例えば、ユーザが、データ保存部１５に保存されたデータの中から、前記メモデータを格納するファイルを検索し、該ファイルのアイコンをダブルクリックすると）、データ読出プログラムが起動するところから始まる（Ｓ４０）。データ読出プログラムが起動すると、先ず、該プログラムによって、前記メモデータが読み出される（Ｓ４２）。次に、データ読出プログラムは、前記メモデータに基づいて、前記関連サイト（より正確には、関連サイトのＵＲＬ）が関連付けられた番組を含む電子番組表のデータを特定し、該データを読み出す（Ｓ４４）。その後、データ読出プログラムは、ＷＥＢブラウザを起動させ（Ｓ４６）、また、当該ＷＥＢブラウザは、データ読出プログラムにより読み出された電子番組表データに基づいて保存電子番組表Ｔｎをブラウザ画面３０に表示させる（Ｓ４８）。この際、前記データ読出プログラムは、前記メモデータに基づいて、図８に示すようなメモＭを前記保存電子番組表Ｔｎに重畳させた状態で表示させる。すなわち、データ読出プログラムは、メモデータに基づいてメモＭを表示させる機能を備えている。以上のような工程を経て、再表示処理が完了する。
【００５７】
ここで、ブラウザ画面３０に表示された保存電子番組表Ｔｎの詳細を詳しく説明すると、図８に示すように、関連付け先番組の番組情報は、電子番組表データが保存される前の該番組情報と同一である。つまり、保存電子番組表Ｔｎ中、関連付け先番組（すなわち、「ドラマＢ」）の番組情報は全て表示され、その中には解説ボタンＴｂも含まれている。そして、解説ボタンＴｂがクリックされると、前記関連付け先番組の解説ウィンドウがポップアップ形式で表示される。これは、電子番組表データのうち、関連付け先番組のデータについては、前記解説ウィンドウのデータを含めて「ドラマＢ」に関する番組情報の全データがデータ保存部１５に保存されたためである。これに対し、保存電子番組表Ｔｎ中、関連付け先番組以外の番組については、図８に示すように、一定の番組情報（本実施の形態では、放送開始時刻及び番組タイトル）のみが表示される。これは、電子番組表データがデータ保存部１５に保存される前段階において、関連付け先番組以外の番組のデータが、データ保存処理部２３によって前記一定の番組情報のデータを除いて消去されたためである。
【００５８】
また、図８に示すように、ブラウザ画面３０のアドレスバーに表示されたアドレスには、データ保存部１５における電子番組表データの位置情報が表示されており、保存電子番組表Ｔｎが該データ保存部１５に保存された電子番組表データに基づいて表示されたものであることが表されている。
【００５９】
さらに、保存電子番組表Ｔｎに重畳した状態で表示されたメモＭには、前記データ保存部１５に保存された関連サイトデータのアドレス（すなわち、前記保存先に保存された前記関連サイトデータまでのパス）がハイパーリンクの形態で表示されている。すなわち、前記メモデータは、メモＭにて前記関連サイトデータのアドレスをハイパーリンクの形態で表示させるためのデータである。この結果、ハイパーリンクの形態で表示された前記アドレスがクリックされると、ＷＥＢブラウザが、前記データ保存部１５に保存された関連サイトのデータを読み出して、該データに基づいて前記関連サイトをブラウザ画面３０に表示するようになる。
【００６０】
このように、関連付け先番組を含む保存電子番組表Ｔｎと、データ保存部１５に保存された関連サイトデータのアドレスへのリンクが設けられたメモＭとが同時に表示されることによって、ユーザにとって、保存電子番組表Ｔｎに掲載された前記関連付け先番組の番組情報と、該関連付け先番組に対してユーザが選択した関連サイトとを参照することが容易になる。
【００６１】
一方、データ保存部１５に保存された電子番組表データのファイルのアイコンがダブルクリックされた場合には、ＷＥＢブラウザが起動し、該ＷＥＢブラウザが前記電子番組表データを読み出し、該データに基づいて保存電子番組表ＴｎをＷＥＢブラウザ画面３０に表示させることとなる。また、データ保存部１５に保存された関連サイトデータのファイルのアイコンがダブルクリックされた場合には、上記の場合と同様に、ＷＥＢブラウザによって該ＷＥＢサイトがブラウザ画面３０に表示されることとなる。
【００６２】
＝＝＝本実施の形態に係るユーザ端末の有効性について＝＝＝
上述した通り、データを受信するためにサーバーとの通信を行う通信部１４と、データを保存するためのデータ保存部１５と、前記通信部１４を介して電子番組表データ提供サーバー３から電子番組表のデータを受信し該データに基づいて電子番組表を表示する電子番組表表示処理、該電子番組表表示処理により表示された電子番組表中の個別の番組に対してユーザにより選択されたＷＥＢサイトを、ユーザの該番組に対するＷＥＢサイト関連付け操作に基づいて関連付ける関連付け処理、及び、該関連付け処理が実行されると、前記通信部１４を介して前記ＷＥＢサイトのデータをＷＥＢサイトデータ提供サーバー４から受信し、かつ、前記電子番組表のデータと前記ＷＥＢサイトのデータとを前記データ保存部１５に保存させるデータ保存処理を実行するデータ処理実行部２０とを有している。これにより、ユーザにとって関心が高い番組を含む電子番組表のデータと、該番組に対してユーザが選択したＷＥＢサイトのデータとを、ユーザが所望する期間保管することが可能なデータ処理が実現されることとなる。
【００６３】
すなわち、発明が解決しようとする課題の項で説明した通り、電子番組表データ提供サーバー３から送信される電子番組表データは定期的に（本実施の形態では、１日毎に）更新されるため、ある日に放送される番組の情報が掲載された電子番組表のデータは、当該ある日から一定の期間が経過した後には受信不可能となってしまう場合がある（例えば、図３に示す電子番組表Ｔのデータは、１２月１２日以降には受信不可能となってしまう）。つまり、数日前の電子番組表にユーザの関心が高い番組が含まれていたとしても、ユーザは当該電子番組表を閲覧し、または利用することが出来ない。
【００６４】
また、ユーザは、ユーザの関心が高い番組に関する情報を入手するために、インターネット上にて公開されているＷＥＢサイトの中から、該番組のホームページ等の該番組に関する情報を掲載したＷＥＢサイトを検索し、当該ＷＥＢサイトを参照することがある。しかしながら、当該ＷＥＢサイトのデータも、前記番組の放送終了後に一定の期間が経過すると、該データを提供するＷＥＢサイトデータ提供サーバー４から消去されてしまう場合がある。かかる場合には、当然ながら、ユーザは前記ＷＥＢサイトを再び参照することが出来なくなってしまう。
【００６５】
一方、電子番組表Ｔ中にユーザの関心が高い番組がある場合、当該電子番組表Ｔのデータと、該番組に対してユーザが選んだＷＥＢサイト（関連サイト）のデータとは、ユーザが所望する期間保管可能であることを望むユーザニーズがある。
【００６６】
これに対して、本実施形態のユーザ端末１０は上記のユーザニーズに対応するものとなっている。すなわち、前記ユーザ端末１０は、ユーザが電子番組表Ｔ中の個別の番組に対して、ユーザが選択した関連サイトのＵＲＬを入力する操作を行うと、当該ＵＲＬ入力操作に基づいて前記ＵＲＬを前記番組に対して関連付ける処理を実行する。ここで、前記ＵＲＬが関連付けられる番組（すなわち、関連付け先番組）は、ユーザの関心が高い番組に相当する。また、入力された前記ＵＲＬにより特定される前記関連サイトは、前記関連付け先番組に関する情報を入手する等のためにユーザが参照するＷＥＢサイトである。
【００６７】
そして、前記ＵＲＬの関連付け処理が実行されると、当該処理の実行をトリガーとして、前記関連サイトのデータをＷＥＢサイトデータ提供サーバー４から受信させ、かつ、ユーザ端末１０が有するデータ保存部１５に、前記関連付け先番組を含む電子番組表のデータと前記関連サイトのデータとを保存させる処理が実行される。すなわち、電子番組表Ｔの中にユーザの関心が高い番組がある場合、該番組に対してユーザが選んだ関連サイトのＵＲＬを関連付けることによって、該番組を含む前記電子番組表Ｔのデータ及び前記関連サイトのデータが、まとめて前記データ保存部１５に保存されることとなる。これにより、例えば、前記番組の放送終了後に前記電子番組表Ｔのデータや前記関連サイトのデータが受信できなくなった場合であっても、ユーザの関心が高い番組を含む電子番組表（より正確には、保存電子番組表Ｔｎ）を再表示させることが可能となり、また、前記番組に対してユーザが選択した関連サイトも再び参照可能になる。すなわち、本実施の形態に係るユーザ端末１０により、ユーザの関心が高い番組を含む電子番組表のデータと、該番組に対してユーザが選択した関連サイトのデータとを、ユーザが所望する期間保管することが可能となる。
【００６８】
＝＝＝他のデータ保存処理について＝＝＝
上記の説明では、前述したデータ保存処理において当該処理の実行中にメモデータが作成されることとした。また、該メモデータに基づいて表示されるメモＭには、前記データ保存部１５における関連サイトのアドレスがハイパーリンクの形態で表示される場合（以下、本件例）について説明した。このように、関連サイトデータのデータ保存部１５におけるアドレスへのリンクが設けられることにより、ユーザは該関連サイトを容易に参照することが可能となる。但し、前記関連サイトデータのアドレスへのリンクを設ける方法は、これに限定されるものではなく、他の方法も考えられる。以下、関連サイトデータのアドレスへのリンクを設ける他の方法（変更例）について、図９及び図１０を用いて説明する。図９は、変更例に係るデータ保存処理に関するフローチャートである。図１０は、前記関連サイトデータのアドレスへのリンクが設けられた保存電子番組表Ｔｎを示す図である。
【００６９】
図９に示されるフローチャートを参照すると、変更例に係るデータ保存処理も、本件例と同様に、データ保存処理部２３がＷＥＢサイトデータ受信処理部２４に前記関連サイトのデータを受信させるところから始まる（Ｓ５０）。そして、当該ＷＥＢサイトデータ受信処理の実行後、データ保存処理部２３は、受信された関連サイトデータをデータ保存部１５に保存させる（Ｓ５２）。なお、変更例おいても、データ保存処理部２３は、前記関連サイトデータをデータ保存部１５に保存させるにあたり、ユーザに対して前記関連サイトデータを保存させる保存先の指定を要求し、当該保存先に前記関連サイトデータを保存させる。
【００７０】
関連サイトデータがデータ保存部１５に保存されると、データ保存処理部２３は、該データ保存部１５における前記関連サイトデータのアドレスへのリンクを設けるために、既に受信されている電子番組表データ中に、リンクタグを挿入する処理（リンクタグ挿入処理）を実行する（Ｓ５４）。当該リンクタグ挿入処理について具体的に説明すると、データ保存処理部２３は、前記電子番組表データの中から、関連付け先番組のデータが記述されている範囲を特定し、当該範囲中に前記リンクタグ（すなわち、＜ａ  ｈｒｅｆ＞の構文で記述されたＨＴＭＬタグ）を挿入する。そして、このリンクタグによるリンク先は、前記関連サイトデータのデータ保存部１５におけるアドレスとなっている。
【００７１】
リンクタグ挿入処理が実行されると、データ保存処理部２３は、前述したデータ消去処理を実行した後に（Ｓ５６）、前記リンクタグが挿入された電子番組表データをデータ保存部１５に保存させる（Ｓ５８）。なお、変更例においても、データ保存処理部２３は、電子番組表データをデータ保存部１５に保存させる際、関連付け先番組の放送日を示す文字列が含まれたファイル名を付けて該電子番組表データを保存させる。以上のような一連の処理が実行された時点で、変更例に係るデータ保存処理が完了する。
【００７２】
以上のような処理によってデータ保存部１５に保存された電子番組表データが読み出され、ＷＥＢブラウザが該データに基づいて保存電子番組表Ｔｎを再表示すると、図１０に示すように、関連付け先番組の番組欄中にリンクボタンＴｃが表示されることとなる。このリンクボタンＴｃは、電子番組表データの中に前記リンクタグが挿入された結果として表示されるものである。すなわち、リンクタグ挿入処理の際、前記リンクボタンＴｃを表示させるためのデータが埋め込まれた前記リンクタグが前記電子番組表データ中に挿入されていたことになる。これにより、ユーザによりリンクボタンＴｃがクリックされると、ＷＥＢブラウザによってデータ保存部１５に保存された関連サイトのデータが読み出され、該データに基づいて前記関連サイトがブラウザ画面３０に表示されるようになる。
【００７３】
なお、本変更例では、保存電子番組表ＴｎにリンクボタンＴｃを設け、該リンクボタンＴｃから前記関連サイトデータのアドレスへリンクさせることとしたが、これに限定されるものではない。例えば、前記保存電子番組表Ｔｎにおいて、前記関連付け先番組の番組欄内に前記アドレスを示す文字列がハイパーリンクの形態で表示されることとしてもよい。また、データ保存処理の実行時に、データ保存処理部２３が、前記アドレスをハイパーリンクの形態で表示させるためのメモのデータ（すなわち、本件例において説明したメモデータ）を作成して該データをデータ保存部１５に保存させるとともに、前述したリンクタグ挿入処理を実行することとしてもよい。
【００７４】
＝＝＝その他の実施形態＝＝＝
以上、上記実施の形態に基づき、主として本発明に係るデータ処理装置について説明したが、上記の説明中にはデータ処理装置によるデータ処理方法の開示も含まれている。すなわち、上記の説明では、ユーザにとって関心が高い番組を含む電子番組表のデータと、該番組に対してユーザが選択したＷＥＢサイトのデータとを、ユーザが所望する期間保管するためのデータ処理方法として、電子番組表の表示処理、該電子番組表中の個別の番組に対してユーザにより選択されたＷＥＢサイトのデータを関連付ける関連付け処理、及び、該関連付け処理により前記ＷＥＢサイトのデータを受信し、かつ、電子番組表のデータと前記ＷＥＢサイトのデータとをデータ保存部に保存させるデータ保存処理について説明した。さらに、上記の各処理をコンピュータに実行させるためのプログラムの開示も含まれている。なお、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【００７５】
また、上記実施の形態では、データ処理装置の一例として、番組録画部１１を有したＰＣ（すなわち、録画機能を備えたＰＣ）を例にとって説明したが、これに限定されるものではない。例えば、外付けの形態でＴＶや録画装置と接続しているＰＣのように、コンピュータ自体に番組の録画機能が備わっていなくてもよい。また、他のデータ処理装置として、データ処理装置を内蔵したＴＶや録画装置等の他のデータ処理装置であってもよい。すなわち、本発明は、電子番組表データの受信機能と、電子番組表の表示機能と、該電子番組表の個別の番組に対しユーザが選択したＷＥＢサイトを、ユーザのＷＥＢサイト関連付け操作に基づいて関連付ける処理を実行する機能と、該ＷＥＢサイトの関連付けが行われると、該ＷＥＢサイトのデータをサーバーから受信し、かつ、装置内に設けられたデータ保存部に電子番組表データと前記ＷＥＢサイトのデータを保存させる処理を実行する機能と、を有するものである限り、あらゆるデータ処理装置に適用可能である。
【００７６】
また、上記実施の形態では、データ保存処理部２３によるデータ保存処理は、ＵＲＬ関連付け処理部２２によりＵＲＬの関連付け処理が実行された時点で実行されることとしたが、これに限定されるものではない。例えば、前記データ保存処理は、ＵＲＬの関連付け処理が実行された後であって、ユーザがＷＥＢブラウザの終了を要求した際に行われることとしてもよい。
【００７７】
また、複数の番組に対して、それぞれ、関連サイトのＵＲＬの関連付け処理が実行された場合（すなわち、ＵＲＬの関連付け処理が複数回実行された場合）には、ＵＲＬの関連付け処理が行われる度に、あるいは、最終のＵＲＬの関連付け処理が実行された時点でデータ保存処理が実行されることとしてもよい。さらに、上記実施の形態では、データ保存処理中の各処理（すなわち、データ受信処理、メモデータの作成及び保存処理（若しくはリンクタグ挿入処理）、データ消去処理）が順次実行されることとしたが、並列的に実行されることとしてもよい。
【００７８】
また、上記実施の形態において、ＵＲＬ関連付けプログラムは、ブラウザ画面３０に設けられたプログラム起動ボタン３１がクリックされることによって起動することとしたが、これに限定されるものではない。例えば、電子番組表の表示処理の際に、ＷＥＢブラウザの起動と連動して前記ＵＲＬ関連付けプログラムが起動することとしてもよい。
【００７９】
また、上記実施の形態では、ＵＲＬ入力ウィンドウ３３やメモＭは電子番組表Ｔに重畳された状態で表示されることとした。但し、これに限定されるものではなく、上記の表示は、電子番組表Ｔに重畳されていなくてもよく、例えば、ブラウザ画面３０の外に表示されることとしてもよい。
【００８０】
また、上記実施の形態に係るユーザ端末１０は、前記データ保存処理の実行時、前記番組の放送日若しくは放送日時を示す文字列が含まれたファイル名、を付けて前記電子番組表データを前記データ保存部１５に保存させることとしたが、これに限定されるものではない。例えば、前記電子番組表データをデータ保存部１５に保存される際、ユーザが任意にファイル名を付けることとしてもよい。
【００８１】
また、上記実施の形態では、電子番組表Ｔ中の関連付け先番組に対して前記ＵＲＬの関連付け処理が実行されると、該関連付け先番組に対するメモデータが作成され、電子番組表データ及び関連サイトデータと併せてデータ保存部に保存されることとした。そして、該メモデータに基づいて表示されるメモＭには、データ保存部１５に保存された関連サイトのアドレスが表示されることとした。しかし、これに限定されるものではなく、例えば、前記メモデータが作成されなくてもよい。但し、前記メモデータが作成される場合、前記メモＭを介して、前記関連付け先番組と前記関連サイトとが関連付けられたまま、電子番組表データ及び関連サイトデータとがデータ保存部１５に保存されることとなる。これにより、前記関連サイトのアドレスを表示させるためのメモＭのデータから、該関連付けサイトが関連付けられた関連付け先番組を含む電子番組表のデータを容易に特定することが可能となる。この結果、上記実施の形態のように、データ保存部１５に保存された電子番組表データに基づいて表示される保存電子番組表Ｔｎと、前記関連サイトデータのアドレスへのリンクが設けられたメモＭとを併せて表示させることも容易になる。かかる点において、上記実施の形態の方が望ましい。
【００８２】
また、上記の実施形態では、メモＭにて前記関連サイトデータのアドレスがハイパーリンクの形態で表示されることとした。すなわち、前記メモＭには前記関連サイトのアドレスへのリンクが設けられていることとしたが、これに限定されるものではない。例えば、前記メモＭに前記関連サイトのアドレスへのリンクが設けられていないこととしてもよい。但し、前記メモＭに前記関連サイトのアドレスへのリンクが設けられている場合、当該リンクを辿ることにより、前記データ保存部１５に保存されたデータに基づいて前記関連サイトを表示させることが可能である。この結果、ユーザは、データ保存部１５に保存された関連サイトのデータに基づいて、該関連サイトを容易に参照することが可能となる。かかる点において、上記実施の形態の方が望ましい。
【００８３】
また、上記の実施形態では、データ保存処理部２３は、データ保存部１５における関連サイトデータのアドレス、へのリンクタグ、を前記電子番組表データに挿入してから、該電子番組表データを前記データ保存部１５に保存させることとした。しかし、これに限定されるものではなく、例えば、前記データ保存処理部２３は、前記リンクタグを電子番組表データに挿入しないこととしてもよい。但し、前記リンクタグが挿入された電子番組表データがデータ保存部１５に保存された場合、当該リンクタグにより設けられたリンクを辿ることによって（例えば、リンクボタンＴｃをクリックすることによって）、前記データ保存部１５に保存された該関連サイトデータに基づいて前記関連サイトを表示させることが可能になる。この結果、ユーザが容易に前記関連サイトを参照することが可能になり、前記保存電子番組表Ｔｎがユーザにとって利用し易いものとなる。かかる点において、上記実施の形態の方が望ましい。
【００８４】
また、上記実施の形態に係るユーザ端末１０は、電子番組表データのうち、関連サイト（より正確には、関連サイトのＵＲＬ）と関連付けられた番組以外のデータの一部または全部を消去して、該電子番組表データをデータ保存部１５に保存させる機能（すなわち、関連付け先番組以外の番組のデータに対してデータ消去処理を施す機能）を備えていることとした。但し、これに限定されるものではなく、データ消去処理を実行する機能を備えていないデータ処理装置であってもよい。但し、前記データ保存部１５の、電子番組表データを保存するために必要な容量を節約する観点においては、前記電子番組表データに対してデータ消去処理を実行する機能が備えられている方がより望ましい。
【００８５】
また、上記実施の形態では、電子番組表データ、ＷＥＢサイトデータ、及びメモデータは、互いに異なるファイルとして保存されることとしたが、これに限定されるものではなく、上記３つのデータが同一のファイルとして保存されることとしてもよい。
【図面の簡単な説明】
【００８６】
【図１】本実施形態のユーザ端末１０の構成、及び、該ユーザ端末１０とデータを送信する各サーバー等との関係を示すブロック図である。
【図２】電子番組表Ｔの表示処理に関するフローチャートである。
【図３】電子番組表Ｔが表示されたブラウザ画面３０を示す図である。
【図４】データ保管処理に関するフローチャートである。
【図５】ユーザの関連付け先番組に対するＵＲＬ入力操作について説明するための図である。
【図６】データ保存処理に関するフローチャートである。
【図７】再表示処理に関するフローチャートである。
【図８】保存電子番組表Ｔｎと、メモデータに基づいて表示されたメモＭを示した図である。
【図９】変更例に係るデータ保存処理に関するフローチャートである。
【図１０】関連サイトデータの保存位置へのリンクが設けられた保存電子番組表Ｔｎを示す図である。
【符号の説明】
【００８７】
１  テレビ放送局、２  ネットワーク、
３  電子番組表データ提供サーバー、
４  ＷＥＢサイトデータ提供サーバー、
１０  ユーザ端末、１１  番組録画部、１２  制御部、
１３  出力部、１３ａ  ディスプレイ、
１４  通信部、１５  データ保存部、１６  入力部、１７  アンテナ、
２０  データ処理実行部、２１  電子番組表表示処理部、
２２  ＵＲＬ関連付け処理部、２３  データ保存処理部、
２４  ＷＥＢサイトデータ受信処理部、２５  保存データ読出処理部、
２６  録画制御処理部、３０  ブラウザ画面、３１  プログラム起動ボタン、
３２  マウスポインタ、３３  ＵＲＬ入力ウィンドウ、
３３ａ  ＵＲＬ入力ボックス、３３ｂ  入力完了ボタン、
Ｍ  メモ、Ｔ  電子番組表、
Ｔｎ  保存電子番組表、Ｔｂ  解説ボタン、Ｔｃ  リンクボタン
【図１】
2008177952.tif 000003
【図２】
2008177952.tif 000004
【図３】
2008177952.tif 000005
【図４】
2008177952.tif 000006
【図５】
2008177952.tif 000007
【図６】
2008177952.tif 000008
【図７】
2008177952.tif 000009
【図８】
2008177952.tif 000010
【図９】
2008177952.tif 000011
【図１０】
2008177952.tif 000012
【手続補正書】
【提出日】平成19年1月23日(2007.1.23)
【手続補正１】
【補正対象書類名】明細書
【補正対象項目名】００４５
【補正方法】変更
【補正の内容】
【００４５】
そして、ＵＲＬ関連付けプログラムにより、前記関連付け先番組に対する関連サイトのＵＲＬの関連付け処理が実行されると、当該ＵＲＬの関連付け処理の実行をトリガーとして、電子番組表Ｔのデータと、前関連付け先番組に対して関連付けられた関連サイトのデータとをデータ保存部１５に保存させる処理（データ保存処理）が実行される（Ｓ２０）。なお、当該データ保存処理は、データ処理実行部２０が備えるデータ保存処理部２３により実行される。また、本実施形態のデータ保存処理部２３は、前記ＵＲＬの関連付け処理の実行をトリガーとして、電子番組表データや関連サイトデータ等の各種データをデータ保存部１５に保存させるプログラムにより実現される。つまり、本実施形態では、ＵＲＬ関連付け処理部２２は前記ＵＲＬの関連付け処理を実行するとデータ保存処理部２３に対してデータ保存処理の実行を要求し、また、当該要求を受けたデータ保存処理部２３は前記データ保存処理を開始する。
【手続補正２】
【補正対象書類名】図面
【補正対象項目名】図８
【補正方法】変更
【補正の内容】
【図８】
2008177952.tif 000013